【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
タッチ表面に対するタッチの圧力検出が可能なタッチ入力装置であって、
ディスプレイパネルと、
前記ディスプレイパネルの下に配置された圧力電極と、
を含み、
前記タッチ表面に圧力が印加されると、前記ディスプレイパネルが撓み、
前記ディスプレイパネルが撓むことにより前記電極で感知される電気的特性が変化し、
前記電気的特性の変化量により前記タッチ表面に印加された圧力の大きさを検出し、
前記ディスプレイパネルは、第１領域と第２領域とを含み、
前記第１領域の圧力検出感度が前記第２領域の圧力検出感度よりも高く、
前記ディスプレイパネルの撓みが同一の条件において、前記第１領域に圧力が印加される時に感知される電気的特性の変化量よりも前記第２領域に圧力が印加される時に感知される電気的特性の変化量がさらに大きい、タッチ入力装置。
【請求項２】
前記圧力電極は、少なくとも一つ以上の単一圧力電極を含み、
前記タッチ表面に圧力が印加されることにより、前記単一圧力電極で感知される電気的特性が変わる、請求項１に記載のタッチ入力装置。
【請求項３】
タッチ表面に対するタッチの圧力検出が可能なタッチ入力装置であって、
ディスプレイパネルと、
前記ディスプレイパネルの下に配置され、第１圧力電極と第２圧力電極とを含む圧力電極と、
を含み、
前記タッチ表面に圧力が印加されると、前記第１圧力電極と前記第２圧力電極との間の距離が変化し、
前記圧力電極で感知される静電容量は、前記距離の変化によって変わり、
前記ディスプレイパネルは、第１領域と第２領域とを含み、
前記第１領域と前記第２領域に同一の圧力が印加される時、前記第２領域の下における前記第１圧力電極と前記第２圧力電極との間の距離の変化は、前記第１領域の下における前記第１圧力電極と前記第２圧力電極との間の距離の変化よりも小さく、
前記第１圧力電極と前記第２圧力電極との間の距離に対する同一の距離変化の条件下で、前記第２領域の下に配置された前記圧力電極で感知された前記静電容量の変化量は、前記第１領域の下に配置された前記圧力電極で感知された静電容量の変化量よりも大きい、タッチ入力装置。
【請求項４】
前記第１圧力電極及び前記第２圧力電極は、前記ディスプレイパネルと離隔された基板上に形成されるか、
前記第１圧力電極及び前記第２圧力電極の何れか一つは前記基板上に形成され、残りの一つは前記ディスプレイパネル上に形成された、請求項３に記載のタッチ入力装置。
【請求項５】
前記タッチ位置を感知するための複数の駆動電極と複数の受信電極とを含むタッチセンサパネル、をさらに含み、
前記タッチセンサパネルは、前記ディスプレイパネル上に配置されるか、前記タッチセンサパネルの少なくとも一部が前記ディスプレイパネルの内部に配置された、請求項１ないし４の何れか１項に記載のタッチ入力装置。
【請求項６】
前記第１領域と前記第２領域に同一の圧力が印加されれば、前記第１領域が前記第２領域よりもさらに多く撓む、請求項１ないし４の何れか１項に記載のタッチ入力装置。
【請求項７】
前記第１領域の下に配置された圧力電極の幅が、前記第２領域の下に配置された圧力電極の幅よりも小さい、請求項１ないし４の何れか１項に記載のタッチ入力装置。
【請求項８】
前記第１領域の下に配置された隣接した２つの圧力電極の間の距離が、前記第２領域の下に配置された隣接した２つの圧力電極の間の距離よりも大きい、請求項１ないし４の何れか１項に記載のタッチ入力装置。
【請求項９】
前記第１領域の下に配置された圧力電極を形成する物質の組成が前記第２領域の下に配置された圧力電極を形成する物質の組成と異なる、請求項１ないし４の何れか１項に記載のタッチ入力装置。
【請求項１０】
前記圧力電極は、圧力電極シートの形態で形成され、
前記圧力電極シートは、前記第１絶縁層と第２絶縁層とを含み、
前記第１絶縁層と前記第２絶縁層のうちの少なくとも一つは、ポリイミド（polyimide）、ＰＥＴ（Polyethylene Terephthalate）のうちの一つで構成された、請求項１ないし４の何れか１項に記載のタッチ入力装置。
【請求項１１】
前記圧力電極は、銅（copper）、アルミニウム（Al）、銀（Ag）のうちの少なくとも一つから構成された、請求項１ないし４の何れか１項に記載のタッチ入力装置。
【請求項１２】
ディスプレイパネルを含むタッチ入力装置に配置され、前記タッチ入力装置のタッチ表面に対するタッチの圧力検出に使用される電極シートにおいて、
第１絶縁層及び第２絶縁層と、
前記第１絶縁層と前記第２絶縁層との間に位置する圧力電極と、
を含み、
前記タッチ入力装置のタッチ表面に圧力が印加されれば、前記ディスプレイパネルが撓み、
前記ディスプレイパネルが撓むことにより、前記圧力電極で感知される電気的特性が変化し、
前記電気的特性の変化量により前記タッチ表面に印加された圧力の大きさが検出され、
前記ディスプレイパネルは、第１領域と第２領域とを含み、
前記第１領域の圧力検出感度が前記第２領域の圧力検出感度よりも高く、
前記ディスプレイパネルの撓みが同一の条件において、前記第１領域に圧力が印加される時に感知される電気的特性の変化量よりも前記第２領域に圧力が印加される時に感知される電気的特性の変化量がさらに大きいように構成された、電極シート。
【請求項１３】
前記圧力電極は、少なくとも一つ以上の単一圧力電極を含み、
前記距離変化により前記単一圧力電極で感知される電気的特性が変わる、請求項１２に記載の電極シート。
【請求項１４】
ディスプレイパネルを含むタッチ入力装置に配置され、前記タッチ入力装置のタッチ表面に対するタッチの圧力検出に使用される電極シートにおいて、
第１絶縁層及び第２絶縁層と、
前記第１絶縁層と前記第２絶縁層との間に位置し、第１圧力電極と第２圧力電極とを含む圧力電極と、
を含み、
前記タッチ表面に圧力が印加されると、前記第１圧力電極と前記第２圧力電極との間の距離が変化し、
前記圧力電極で感知される静電容量は、前記距離の変化によって変わり、
前記ディスプレイパネルは、第１領域と第２領域とを含み、
前記第１領域と前記第２領域に同一の圧力が印加される時、前記第２領域の下における前記第１圧力電極と前記第２圧力電極との間の距離の変化は、前記第１領域の下における前記第１圧力電極と前記第２圧力電極との間の距離の変化よりも小さく、
前記第１圧力電極と前記第２圧力電極との間の距離に対する同一の距離変化の条件下で、前記第２領域の下に配置された前記圧力電極で感知された前記静電容量の変化量は、前記第１領域の下に配置された前記圧力電極で感知された静電容量の変化量よりも大きいように構成された、電極シート。
【請求項１５】
前記第１圧力電極及び前記第２圧力電極は、前記ディスプレイパネルと離隔された基板上に形成されるか、
前記第１圧力電極及び前記第２圧力電極の何れか一つは前記基板上に形成され、残りの一つは前記ディスプレイパネル上に形成された、請求項１４に記載の電極シート。
【請求項１６】
前記電極シートは、前記ディスプレイパネルに付着される、請求項１２ないし１５の何れか１項に記載の電極シート。
【請求項１７】
前記第１領域の下に配置された圧力電極の幅が、前記第２領域の下に配置された圧力電極の幅よりも小さいように構成された、請求項１２ないし１５の何れか１項に記載の電極シート。
【請求項１８】
前記第１領域の下に配置された隣接した２つの圧力電極の間の距離が、前記第２領域の下に配置された隣接した２つの圧力電極の間の距離よりも大きいように構成された、請求項１２ないし１５の何れか１項に記載の電極シート。
【請求項１９】
前記第１領域の下に配置された圧力電極を形成する物質の組成が前記第２領域の下に配置された圧力電極を形成する物質の組成と異なるように構成された、請求項１２ないし１５の何れか１項に記載の電極シート。
【請求項２０】
前記圧力電極は、銅（copper）、アルミニウム（Al）、銀（Ag）のうちの少なくとも一つから構成される、請求項１２ないし１５の何れか１項に記載の電極シート。